(57)【要約】 【課題】  確実に人体や生物体に作用させることができ、機能性効果を期待することができる健康マットの提供にある。【解決手段】  微粉末状の樹脂フレークに人工又は自然石等の微量放射性物質微粉末を均質に混合させて布帯１２，１２を形成し、その間に複数の振動磁場ユニットコア２０を組み込んだ。振動磁場ユニットコア２０、中空円板の表面単極のペーパー状磁石を奇数枚互いに吸引するようにＮ極、Ｓ極を組合せた外郭用コア磁石２２と、偶数枚のペーパー磁石を互いに吸引するようにＮ極、Ｓ極を組み合わせた内部用コア磁石２４とを有し、該内部用コア磁石をその表面磁極が前記外郭用コア磁石２２の表面磁極と同一方向となるように該外郭用コア磁石２２の中心部空間に配置したものである。【選択図】      図１
2005287720.tif 000002
【特許請求の範囲】
【請求項１】
微粉末状の樹脂フレークに人工又は自然石等の微量放射性物質微粉末を均質に混合させて布帯を形成し、これを用いたことを特徴とする健康磁気マット。
【請求項２】
微粉末状の樹脂フレークに人工又は自然石等の微量放射性物質微粉末及び極微少鉄粉を均質に混合させて布帯を形成し、これを用いたことを特徴とする健康磁気マット。
【請求項３】
請求項１又は２記載の布帯を２枚合わせて、その中に複数の樹脂製ペーパー磁石を層状に組み込んだ振動磁場ユニットコアを配置したことを特徴とする健康磁気マット。
【請求項４】
前記振動磁場ユニットコアは、中心部に空間を有する表面単極の樹脂製ペーパー磁石を奇数枚互いに吸引するようにＮ極、Ｓ極を組合せて構成した外郭用コア磁石と、偶数枚の樹脂製ペーパー磁石を互いに吸引するようにＮ極、Ｓ極を組み合わせた内部用コア磁石とを有し、該内部用コア磁石をその表面磁極が前記外郭用コア磁石の表面磁極と同一方向となるように該外郭用コア磁石の中心部空間に配置したものであることを特徴とする請求項３記載の健康磁気マット。
【請求項５】
前記振動磁場ユニットコアは電磁石であることを特徴とする請求項３記載の健康磁気マット。
【請求項６】
前記布帯の外側を不識布等の柔らかい布で覆っていることを特徴とする請求項１〜５のいずれか１項記載の健康磁気マット。
【発明の詳細な説明】
【技術分野】
【０００１】
本発明は、健康マットに関するもので、詳しくは座布団や敷き布団の上に敷き、そこに座ったりあるいは寝たりしたときに、身体に磁場やマイナスイオンを作用させて筋肉の凝りをほぐすとともに、ダメージを受けた細胞の機能を回復させる健康マットに関するものである。
【背景技術】
【０００２】
従来から使用されている健康マットとしては、単に粘着テープや絆創膏などに永久磁石のみを装着したものや、トルマリン混入布又はゲルマニウム混入布を用いたもの、或いはこれらのものを樹脂に混入させて成形したものなどが知られている。また、遠赤外線石による温熱効果を用いたものもある。
【０００３】
例えば、永久磁石を用いたものとして、直径２ｃｍほどの円形の粘着テープの中央部に円板状の永久磁石を装着し、筋肉の凝りが生じた部位やツボなどに貼り付けて、磁石により発生している磁場（磁界）を血管中を流れる赤血球に含まれている鉄分に作用させフレミングの法則による微少起電力を発生させ、血流を改善して筋肉の凝りを減少させようとしたものがある。
【０００４】
また、平板状の永久磁石を身体の胴部に装着可能なベスト（チョッキ）の内部に取り付けたものも提案されている。この磁気治療具は、身体の肩や背中等の凝りが起こりやすい部位に対応させてベスト内に複数の磁石が取り付けられているものである。
【０００５】
しかしながら、上記の治療具では磁気を身体内に深くかつ広範囲に浸透させることが困難であるといわれ、次ぎに示すような提案がなされている。
すなわち、身体に沿わせる面の極性が交互に逆極性になるようにフェライト磁石からなる永久磁石を配列させて、磁場を１つの永久磁石の周囲だけでなく隣り合う永久磁石の相互間にも形成して、磁気を身体に対し深くかつ広範囲に浸透させるようにしたとされるものがある（特許文献１参照）。
【０００６】
また、マイナスイオンを活用したものとして、マイナスイオン発生アクリル繊維が提案されている。一般に、マイナスイオンは大脳皮質や血液中のセロトニン量を低下させたり、血液中の酸素量やＳＯＤ酵素を増加させたり、ストレス抑制ホルモンを増加させたりする効果があるといわれている。
このマイナスイオン発生アクリル繊維は、それぞれ平均粒径が１μｍ以下であるトルマリンと電気絶縁性物質とゼオライトとをアクリロニトリル共重合体の溶液に加えて所定の濃度に混合調整し、得られた溶液を紡糸用原液として製造された繊維である（特許文献２参照）。
【０００７】
【特許文献１】特開２００２−１７７４０３号公報
【特許文献２】特開２００４−２７３８９号公報
【発明の開示】
【発明が解決しようとする課題】
【０００８】
しかしながら、上記永久磁石を用いて微少起電力を発生させる場合、血液流体エネルギーのみで確実に微少起電力を発生させて血液活性化を起こさせ機能通り効果が得られるかどうか不確実性が多い。
また、トルマリン等の自然放射線物質を混入させた繊維を使用した健康マット
においても、確実に人体や生物体に働くか否か問題がないわけではない。
遠赤外線石を利用した健康マットにおいては、体温等の外部エネルギーが作用し、遠赤外線の２次エネルギーが発生したとしても人体や生物体にどのように作用するのか不明確であり確実に機能を発揮できるか疑問である。
【０００９】
本発明の目的は、確実に人体や生物体に作用させることができ、機能性効果を期待することができる健康マットの提供にある。
【課題を解決するための手段】
【００１０】
請求項１記載の健康マットは、微粉末状の樹脂フレークに人工又は自然石等の微量放射性物質微粉末を均質に混合させて布帯を形成し、これを用いたことを特徴としている。
【００１１】
請求項２記載の健康マットは、微粉末状の樹脂フレークに人工又は自然石等の微量放射性物質微粉末及び極微少鉄粉を均質に混合させて布帯を形成し、これを用いたことを特徴としている。
【００１２】
請求項３記載の健康マットは、請求項１又は２記載の布帯を２枚合わせて、その中に樹脂製ペーパー磁石を層状に組み込んだ振動磁場ユニットコアを配置したことを特徴としている。
【００１３】
請求項４記載の健康マットは、請求項３記載の健康マットにおいて、振動磁場ユニットコアは、中心部に空間を有する表面単極の樹脂製ペーパー磁石を奇数枚互いに吸引するようにＮ極、Ｓ極を組合せて構成した外郭用コア磁石と、偶数枚の樹脂製ペーパー磁石を互いに吸引するようにＮ極、Ｓ極を組み合わせた内部用コア磁石とを有し、該内部用コア磁石をその表面磁極が前記外郭用コア磁石の表面磁極と同一方向となるように該外郭用コア磁石の中心部空間に配置したものであることを特徴としている。
【００１４】
請求項５記載の健康マットは、請求項３記載の健康マットにおいて、振動磁場ユニットコアは電磁石であることを特徴としている。
【００１５】
請求項６記載の健康マットは、請求項１〜５のいずれか１項記載の健康マットにおいて、布帯の外側を不識布等の柔らかい布で被っていることを特徴としている。
【発明の効果】
【００１６】
請求項１又は２記載の健康マットによれば、電子ｅ−と空気中の水分の働きで常時マイナスイオンを放出することにより有害な＋イオン、活性酸素を中和し、＋細菌を殺菌することができる。
請求項３乃至５記載の健康マットの場合、人体や生物体において長い間ダメージを受け続けた細胞体にマイナスイオンと振動磁場エネルギーが作用することで、生活習慣病を和らげる効果を発揮し自然治癒力を増加させることが可能となる。そして、その使用方法は、首筋、腰、脚部等の凝りのある部分に当てるか敷き込むことにより容易に筋肉細胞内の血行を改善し、凝りと痛みをほぐすことができる。また、厚さを薄くできるので、使用に際して違和感が無く、痛みもないので使い勝手が非常に良いものといえる。
請求項６記載の健康マットは、不織布等の保護カバーを取り替えるだけで繰り返し半永久的に使用することができる。
【発明を実施するための最良の形態】
【００１７】
図１は本発明に係る健康マットの実施の形態を縦端面図として示したもので、図２は図１におけるＡ−Ａ線による端面図である。
健康マット１０は、図に示すように、上下に布帯１２，１２を有しており、その間に複数個の振動磁場ユニットコア２０が挟み込まれている。
布帯１２は、ポリエステル繊維と綿等を混紡したもので、ポリエステル繊維は原料段階の樹脂フレークに人工又は自然石等の微量放射性物質微粉末を均質に混合させて溶液状にし、繊維としたものである。
ここで用いた微量放射性物質の樹脂フレークに対する割合は、１〜１０重量％が適量である。微量放射性物質の成分を表１に示す。
【００１８】
【表１】
2005287720.tif 000003
【００１９】
上記微量放射性物質の外にフェライトなどの微少磁鉄粉を加えることが好ましい。
【００２０】
上下の布帯１２，１２間に挟み込まれた、複数個の振動磁場ユニットコア２０は、外郭用コア磁石２２と内部用コア磁石２４から構成されており、この２種類のコアを層状に組み込んだものである。
外側の外郭用コア磁石２２は、外形約８０ｍｍ、内径約４０ｍｍ、厚さ約１ｍｍの中空円板型の樹脂製ペーパー状表面単極磁石２２ａを奇数枚（ここでは３枚）を互いに吸引するようにＮ極、Ｓ極を組み合わせ上下方向にスペーサ（図示せず）により所定の間隔を設けて配置したものである。
【００２１】
また、内部用コア磁石２４は、外形約３７ｍｍ、厚さ約１ｍｍの円板型の樹脂製ペーパー状表面単極磁石２４ａを偶数枚（ここでは４枚）を互いに吸引するようにＮ極、Ｓ極をスペーサにより所定の間隔を設けて組み合わせたものである。
この内部用コア磁石２４を、前記外郭用コア磁石２２の中空部に同心円状に配置してできたものが振動磁場ユニットコア２０である。図３にＮ，Ｓ極の位置を表示してその状態を示す。外郭用コア磁石２２の上表面はＳ極、下表面はＮ極であり、同様に、内部用コア磁石２４の上表面はＳ極、下表面はＮ極となっている。外郭用コア磁石２２の中央部空間に内部用コア磁石２４を挿入するときには、外郭用コア磁石２２と内部用コア磁石２４とは互いに反発し合うので、その反発力に抗して内部用コア磁石２４を外郭用コア磁石２２の中央部空間に押し込む形になる。押し込んだ状態で、内部用コア磁石２４が飛び出さないように表面を押さえて固定する。従って、外郭用コア磁石２２と内部用コア磁石２４とは互いに反発しあう関係になる。このような特殊の磁極配置が、全体として振動磁場を発生させる結果となっている。
【００２２】
上記のコア磁石２２，２４は、いずれもポリエチレン系樹脂或いはポリオレフィン系樹脂などに、表２に示す割合のフェライトを７０〜９０重量％混ぜてペーパー状に薄く成形したものである。
【００２３】
【表２】
2005287720.tif 000004
【００２４】
上記の成分を混入させて形成した樹脂製ペーパー磁石の磁気特性は、下記のようになった。
Ｂｒ：０．２４〜０．２５Ｔ
Ｈｃｂ：１６９ｋ〜１７７ｋＡ／ｍ
Ｈｃｊ：１９０ｋ〜２６０ｋＡ／ｍ
（ＢＨ）ｍａｘ：１０２Ｍ〜１１８ＭＡ／ｍ
【００２５】
このようにして構成した健康マット１０を、座布団や敷き布団の上に敷き、そこに座ったりあるいは寝たりすると、布帯１２から発生するマイナスイオンを確実に人体や生物体（例えば、ペット類など）の血液や活性酸素によって生じた酸化細胞に作用しプラスイオン（乳酸を形作る活性酸素）と結びつき、ダメージを受けた箇所の修復を図ることができる。また、布帯１２、１２間に振動磁場ユニットコア２０を組み込んだので、マイナスイオン効果に合わせて磁気作用により人体や生物体の血液や細胞液を活性化させることができる。また、布帯１２内に磁性鉄粉を混入させている場合には、振動磁場ユニットコアより生じる単極磁場を磁性鉄粉を介して作用させることができ、より磁気の効果を高めることができる。また、振動磁場ユニットコア２０は薄い樹脂製ペーパー状磁石を層状に重ねたものなので、全体として極めて薄くすることができ、使用に際し違和感を持つことはない。
【００２６】
また、上記健康マット１０には、図４に示すように、布帯１２，１２の外側を不識布等の柔らかい布１４で覆うようにするとよい。このようにすると、不織布等の保護カバーを取り替えるだけで繰り返し半永久的に使用することができる。
【００２７】
なお、上記実施の形態では、布帯１２，１２間に挟んだ複数個の振動磁場ユニットコア２０を同一寸法のものとしているが、これに限らず種々の寸法のものを混合させて使用することもできる。また、樹脂製ペーパー磁石の２２、２４の形状を中空円板状及び円板状としたが、これに限らず中空角形状と角形状など種々の形状にすることができる。
【産業上の利用可能性】
【００２８】
本発明に係る健康マットは、家庭内で単独にて使用する以外にも、家庭用低周波治療器、家庭用電気治療器、家庭用紫外線治療器、家庭用超音波治療器等の器具と当時に使用することが可能である。
【図面の簡単な説明】
【００２９】
【図１】本発明に係る健康マットの縦断面図である。
【図２】図１に示す健康マットのＡ−Ａ線端面図である。
【図３】振動磁場ユニットの構成の縦端面図である。
【図４】図１に示す健康マットに保護カバーを被せた図である。
【符号の説明】
【００３０】
１０    健康マット
１２    布帯
１４    保護カバー
２０    振動磁場ユニットコア
２２    外郭用コア磁石
２２ａ  樹脂製ペーパー状表面単極磁石
２４    内部用コア磁石
２４ａ  樹脂製ペーパー状表面単極磁石
【図１】
2005287720.tif 000005
【図２】
2005287720.tif 000006
【図３】
2005287720.tif 000007
【図４】
2005287720.tif 000008